(57)【要約】【課題】構造と取り扱いが簡易で、且つ小型にまた安価に製造することができる混練装置を提供する。【解決手段】容器回転部２と、容器回転部２及び昇降駆動部４に回転力を伝達する回転駆動部３と、ブレード支持アーム２６を昇降動作させる昇降駆動部４と、容器を保持する容器保持部６と、ブレード支持アーム２６の先端部に着脱可能に装着され、容器内に差し込まれるブレード３０ｂをブレード軸３０ａの下端部に有してなる昇降ブレード３０と、を備える。容器３１には蓋３２が被せられると共に、蓋の中心位置に小孔が穿設され、小孔に昇降ブレード３０のブレード軸３０ａが挿通されて昇降ブレード３０のブレード３０ｂが容器３１内に配置される。容器回転部２の容器保持部６の回転により容器３１が回転しつつ、ブレード支持アーム２６の昇降動作により昇降ブレード３０が上下動する。【選択図】図１
2007275765.tif 000002
【特許請求の範囲】
【請求項１】
被混練物を収容する容器を回転可能に保持するためにベース上に設けられた容器回転部と、該ベース上に設けられた箱形フレーム内に回転駆動される回転駆動軸を有し、該容器回転部と昇降駆動部に回転力を伝達する回転駆動部と、該箱形フレームの側部に設けられ、ブレード支持アームを昇降動作させる昇降駆動部と、該容器回転部の縦回転軸上に取り付けられ、上から挿入される容器を保持する容器保持部と、該ブレード支持アームの先端部に着脱可能に装着され、該容器内に差し込まれるブレードをブレード軸の下端部に有してなる昇降ブレードと、を備えた混練装置であって、
該容器には蓋が被せられると共に、該蓋の中心位置に小孔が穿設され、該小孔に該昇降ブレードのブレード軸が挿通されて該昇降ブレードのブレードが該容器内に配置され、該容器回転部の該容器保持部の回転により該容器が回転しつつ、該ブレード支持アームの昇降動作により該昇降ブレードが上下動することを特徴とする混練装置。
【請求項２】
前記ブレード支持アームの先端に設けたブレード保持部には、スリットが設けられ、前記昇降ブレードのブレード軸に設けた切り欠き部を、該スリットに挿通して、該昇降ブレードを該ブレード保持部に着脱可能に保持させることを特徴とする請求項１記載の混練装置。
【請求項３】
前記昇降ブレードは、ブレード軸の下端に平板状のブレードを、該ブレード軸の軸心を通る平面内に位置させるように取り付け、該ブレードには開口部を設けて形成されたことを特徴とする請求項１記載の混練装置。
【発明の詳細な説明】
【技術分野】
【０００１】
本発明は、脂肪、ワセリンなどに薬効成分を混練して作る軟膏などを混練する混練装置に関し、特に比較的簡易な構造で、取り扱いが容易であり、且つ小型で安価に製造することが可能な混練装置に関する。
【背景技術】
【０００２】
例えば、皮膚科などで処方される軟膏には、病院の薬局或は外部の薬局の薬剤師が、脂肪、ワセリンなどの基材に、薬効成分を調合し、混練して作られるものがある。大規模な病院の薬局などでは、多くの軟膏が処方されるため、下記特許文献１、２に記載されるような大形で高価な混練装置を使用して、軟膏が作られている。この混練装置は、被混練物を収容する容器が回転駆動機構により自転及び公転するように構成され、撹拌と混練を効果的に行うことができるものの、小規模な薬局などにおいて、少量の軟膏などを混練するには適さず、混練後の容器の取り外しや撹拌翼の洗浄などを容易に行なうことができず、使用しにくいという課題があった。
【特許文献１】特開昭６１−２９０９４６号公報
【特許文献２】特開平１０−４３５６６号公報
【発明の開示】
【発明が解決しようとする課題】
【０００３】
また、小規模の病院の薬局或は外部の薬局では、通常、それほど多くの軟膏が処方されるわけではないため、薬局で調合する軟膏は、上記のような混練装置を使用せず、薬局の薬剤師などが、手作業で薬剤を調合し混練して軟膏を作ることが一般的である。このような手作業で軟膏を調合し混練する場合、調合者は、左手に材料をいれる容器を持ち、右手にヘラを持って、容器内で脂肪、ワセリンなどの基材と共に、ステロイド剤などの薬効成分を調合し、それをヘラで混練することにより、軟膏を作ることになる。
【０００４】
このため、薬局での軟膏の調合に時間がかかり、手作業で軟膏を混練するため、作業をする人にとっては、ヘラを頻繁に操作して混練する必要があり、手首などの負担が大きく、腱鞘炎にもなりやすくなる。このため、軟膏などの調合の際の混練に適した小型の簡易構造で、安価に製造可能な混練装置が要望されていた。
【０００５】
本発明は、上記の点に鑑みなされたもので、構造と取り扱いが簡易で、且つ小型にまた安価に製造することができる混練装置を提供することを目的とする。
【課題を解決するための手段】
【０００６】
上記の目的を達成するために、本発明の混練装置は、被混練物を収容する容器を回転可能に保持するためにベース上に設けられた容器回転部と、ベース上に設けられた箱形フレーム内に回転駆動される回転駆動軸を有し、該容器回転部と昇降駆動部に回転力を伝達する回転駆動部と、箱形フレームの側部に設けられ、ブレード支持アームを昇降動作させる昇降駆動部と、容器回転部の縦回転軸上に取り付けられ、上から挿入される容器を保持する容器保持部と、該ブレード支持アームの先端部に着脱可能に装着され、容器内に差し込まれるブレードをブレード軸の下端部に有してなる昇降ブレードと、を備えた混練装置であって、該容器には蓋が被せられると共に、該蓋の中心位置に小孔が穿設され、該小孔に該昇降ブレードのブレード軸が挿通されて該昇降ブレードのブレードが該容器内に配置され、該容器回転部の該容器保持部の回転により容器が回転しつつ、該ブレード支持アームの昇降動作により該昇降ブレードが上下動することを特徴とする。
【０００７】
ここで、上記ブレード支持アームの先端に設けたブレード保持部には、スリットが設けられ、該昇降ブレードのブレード軸に設けた切り欠き部を、スリットに着脱可能に挿通して、昇降ブレードをブレード保持部に保持させるように構成することができる。
【０００８】
また、昇降ブレードは、ブレード軸の下端に平板状のブレードを、ブレード軸の軸心を通る平面内に位置させるように取り付け、該ブレードには開口部を設けて構成することができる。
【０００９】
さらに、上記回転駆動部には、回転駆動軸を回転するためのハンドルまたは減速機付きモータを取り付けることができる。
【発明の効果】
【００１０】
上記構成の混練装置は、ハンドル又は減速機付きモータにより回転駆動部の回転駆動軸を回転させると、容器回転部の縦回転軸が回転して容器保持部が回転し、容器はそこに挿入された昇降ブレードのブレード軸を中心に回転する。同時に、昇降駆動部がブレード支持アームを昇降動作させるように動作し、ブレード支持アームの昇降により、先端のブレード保持部に保持された昇降ブレードがそのブレード軸の軸方向に上下動する。これにより、被混練物を収容する容器が回転しつつ、容器内のブレードが上下動し、容器内の被混練物が混練される。
【００１１】
混練作業を終了すると、容器は昇降ブレードを挿入した状態で、容器保持部から取り外され、昇降ブレードはブレード支持アームのブレード保持部から取り外される。そして、容器の蓋がその中央の小孔に挿入された昇降ブレードと共に容器から外され、容器内の被混練物内のブレードが取り出される。
【００１２】
このとき、昇降ブレードはブレード軸の下端に平板状のブレードが、ブレード軸の軸心を通る平面内に位置させて形成されるため、つまり軸に対し平坦に形成されるため、被混練物が軟膏のように粘性の高い物質であっても、容器内の被混練物内から容易に引き抜くことができ、また、引き抜いたブレードに被混練物が多少付着していた場合でも、容器の口縁部で容易にそれを擦り取り、ブレードの付着物を少なくした状態で、昇降ブレードを取り外すことができる。
【００１３】
このように、ブレードの付着物を少なくできるため、混練作業後の昇降ブレードの洗浄作業が容易となり、被混練物を収容した容器については、蓋を小孔のない蓋に付け替え、そのまま被混練物を保存する容器として使用することができるため、容器を洗浄する作業が不要となって、比較的少量で複数種類の被混練物を個別に混練する際、非常にその取り扱いを簡単化することができる。
【発明を実施するための最良の形態】
【００１４】
以下、本発明の一実施形態を図面に基づいて説明する。図１は混練装置の部分断面を含む正面図を示し、図２はその背面図を、図３はその左側面図を示している。この混練装置は、容器３１を保持して回転駆動する容器回転部２と昇降ブレード３０を昇降駆動する昇降駆動部４がベース１上に設けられ、容器回転部２と昇降駆動部４に回転駆動力を伝達する回転駆動部３がベース１上に設けられ、容器回転部２上に、載置された容器を保持する容器保持部６が設けられる。また、ベース１上に昇降駆動部４の昇降ガイド軸２２が垂直に立設され、昇降ガイド軸２２には、ブレード支持アーム２６の摺動部が上下摺動可能に取り付けられ、ブレード支持アーム２６の先端近傍に昇降ブレード３０のブレード軸３０ａを着脱可能に保持するブレード保持部２８が設けられて構成される。
【００１５】
ベース１上に、直方体形状の箱型フレーム１０が取り付けられ、箱型フレーム１０の正面側にハンドル１２がハンドル軸（回転駆動軸）１１を介して装着されている。ハンドル軸１１は、箱型フレーム１０の正面と背面に固定した軸受部（ボールベアリング）１１ａ、１１ｂにより水平に回転可能に支持され（図４）、その中間部にベベルギヤ１３が固定される（図３）。一方、箱型フレーム１０内のベース１上には、垂直回転軸９が立設され、ベース１に取り付けた軸受部（ボールベアリング）９ａにより回転可能に支持されている。
【００１６】
垂直回転軸９の上端にベベルギヤ１４が固定され（図１）、このベベルギヤ１４が上記ハンドル軸１１のベベルギヤ１３と噛合し、ハンドル１２の回転により垂直回転軸９が回転する。また、垂直回転軸９の下端はベース１の下部内に位置し、その垂直回転軸９の下端に、大ギヤ２０が固着されている（図１）。さらに、この垂直回転軸９の中間部に、ベベルギヤ１５が固定され、そのベベルギヤ１５には水平回転軸１７の先端に固定されたベベルギヤ１６が噛合する。水平回転軸１７は箱型フレーム１０の右側壁に取り付けられた軸受部１７ａにより回転可能に水平に支持され、右側壁から外側に突出した水平回転軸１７の先端に小ギヤ１８が取着されている。
【００１７】
一方、箱型フレーム１０の右側壁における水平回転軸１７の上方に、別の水平回転軸１９が軸受部１９ａにより回転可能に水平に支持されている。この水平回転軸１９の外側の先端部に大ギヤ２０が固定され、大ギヤ２０はその下方に位置する小ギヤ１８と噛合する。したがって、ハンドル軸１１の回転駆動により垂直回転軸９が回転すると、その回転が水平回転軸１７に伝達され、水平回転軸１７の先端の小ギヤ１８を介して大ギヤ２０が回転する。
【００１８】
さらに、大ギヤ２０には、略円形のカム板２１が水平回転軸１９に対し軸を偏倚して取り付けられている。そして、そのカム板２１に対向した位置に、垂直ガイド軸２２がベース１上に立設される。垂直ガイド軸２２には、摺動部２３が上下摺動可能に外嵌されており、摺動部２３のカム板２１側に、カムフォロワ２５が回転自在に取り付けられ、カムフォロワ２５の周面はカム板２１のカム面に接触されている。摺動部２３とベース１間にばね部材（コイルばね）２４が掛け渡され、摺動部２３はばね部材２４により下側に付勢され、これにより、カムフォロワ２５が常時カム板２１の周面に当接した状態を保持する。摺動部２３には固定ねじ２３ａが螺合して取り付けられ、任意の位置で摺動部２３を固定することができる。また、昇降ガイド軸２２の上部は、この装置全体の把持部を形成し、この把持部を持って装置を持ち運ぶことができる。
【００１９】
さらに、摺動部２３の上部には、ブレード支持アーム２６が容器回転部２側に向けて取り付けられ、ブレード支持アーム２６の先端は容器３１の上方に達している。箱型フレーム１０上にアームガイド棒２７が垂直に立設され、ブレード支持アーム２６の対応位置に穿設された孔にアームガイド棒２７が挿通され、ブレード支持アーム２６の上下動をガイドする。ブレード支持アーム２６の先端部には、ブレード保持部２８が設けられ、そこにスリット２８ａが先端から容器回転部２の軸芯位置にかけて形成され、このスリット２８ａに後述の昇降ブレード３０のブレード軸３０ａの切り欠き部３０ｄがはめ込まれるようになっている。また、ブレード保持部２８には固定ねじがねじ込まれ、固定ねじにより昇降ブレード３０のブレード軸３０ａを固定することができる。
【００２０】
一方、ベース１上の垂直回転軸９の左側には、容器回転部２用の縦回転軸５が軸受部５ａにより垂直に軸支されている。縦回転軸５の下端はベース１内に突出してそこに中ギヤ７が固定され、中ギヤ７は上記の垂直回転軸９の下端部の大ギヤ８に噛合している。また、縦回転軸５の上端には、カップ状の容器保持部６が水平に固定され、この容器保持部６内に、混練用の容器３１を挿入して保持させることができる。容器３１は被混練物としての例えば軟膏を収容するガラスまたは合成樹脂容器であり、特定の軟膏を収容すると共に、混練用と兼用して使用することができる。容器３１には、通常、軟膏を収容しておくために通常の蓋が被せられるが、混練を行う場合には、混練専用の蓋３２が被せられる。この蓋３２には、中心位置に昇降ブレード３０のブレード軸３０ａを通すための孔が穿設されている。
【００２１】
容器３１内に挿入される昇降ブレード３０は、図６に示すように、ブレード軸３０ａの下端にブレード３０ｂを固定して形成され、ブレード３０ｂは略三角形の薄い板状に形成されると共に、そのブレード３０ｂの内側は三角形の開口部３０ｃが形成されている。図６に示すように、ブレード３０ｂはブレード軸３０ａの軸心を通る平面と同一平面内に位置し、ブレード軸３０ａに対し平坦な形状となっている。
【００２２】
このように、ブレード３０ｂはブレード軸３０ａの下端に薄い板状のブレード３０ｂをブレード軸３０ａと同一平面上に設けているため、平面的に形成され、使用後の洗浄などの際の扱いが非常に容易となるように構成されている。昇降ブレード３０は上下動するのみであり、このために、昇降ブレード３０のブレード軸３０ｂには軸に一部を細くした形状の切り欠き部３０ｄが設けられている。昇降ブレード３０はそのブレード軸３０ａを蓋３２の孔に挿通させ、その切り欠き部３０ｄをブレード支持アーム２６のブレード保持部２８のスリット２８ａに挿入すると共に、昇降ブレード３０のブレード３０ｂを容器３１内に挿入して使用する。
【００２３】
次に、上記構成の混練装置の動作を説明する。本混練装置は、例えば病院などの薬局において、軟膏を混練するために使用される。混練する被混練物（軟膏）は容器３１に入れられ、この容器３１は被混練物を収容し保存する容器としても使用されるものである。
【００２４】
被混練物を入れた容器３１は、保存用の蓋を外して容器保持部６内に上から挿入され載置される。そして、容器３１の混練用の蓋３２を昇降ブレード３０のブレード軸３０ａに挿通させ、その状態で、ブレード軸３０ａの切り欠き部３０ｄをブレード保持部２８のスリット２８ａに挿入して、ブレード支持アーム２６に取り付けると共に、ブレード３０ｂを容器３１内に挿入して、蓋３２を容器３１の上部に嵌着する。これで、図１のようにセットが完了し、この後、ハンドル１２を回して混練作業を行う。
【００２５】
ハンドル１２を回すと、ハンドル軸１１が回転し、ベベルギヤ、１４を介して垂直回転軸９が回転する。垂直回転軸９の下端に固定した大ギヤ８が回転し、これと噛合する中ギヤ７を介して縦回転軸５が回転し、その上端の容器保持部６が回転する。これにより、容器保持部６に保持された容器３１がその中心軸芯位置に挿入されたブレード軸３０ａを軸に回転する。
【００２６】
同時に、垂直回転軸９の回転により、ベベルギヤ１５，１６を介して水平回転軸１７が回転し、小ギヤ１８が回転し、それと噛合する大ギヤ２０が回転する。このとき、大ギヤ２０に偏倚して固定されたカム板２１が回転し、図５に示すように、カムフォロワ２５がカム板２１の外周面に摺接しながら上下動し、これによって、カムフォロワ２５が軸支された摺動部２３が昇降ガイド軸２２に沿って昇降移動する。例えば、図５において、大ギヤ２０が時計方向に回転したとき、カム板２１に摺接するカムフォロワ２５は先ず下降し、次に下降端に達した後、上昇に転じ、上昇端に達した後、再び下降する。
【００２７】
このように、容器保持部６に保持された容器３１がその中心軸芯位置に挿入されたブレード軸３０ａを軸に回転する間、摺動部２３とこれに延設されたブレード支持アーム２６が上下動し、ブレード支持アーム２６の先端のブレード保持部２８に支持された昇降ブレード３０がそのブレード軸３０ａの軸方向に上下動する。例えば、ブレード支持アーム２６の下端から上端まで一往復する間に、上記容器保持部６は８回転する。
【００２８】
これにより、容器保持部６内の容器３１がブレード軸３０ａを軸に回転し、昇降ブレード３０が上下動することによって、容器内３１内のブレード３０ｂが容器３１内の被混練物に対し相対的に回転し、且つブレード３０ｂの回転位置が上下に移動し、容器３１内の被混練物が良好に混練される。
【００２９】
混練作業を終了すると、容器３１は昇降ブレード３０を挿入した状態で、容器保持部６から取り外され、昇降ブレード３０はブレード支持アーム２６のブレード保持部２８から取り外される。そして、容器３１の蓋３２がその中央の小孔に挿入された昇降ブレード３０と共に容器３１から外され、容器３１内の被混練物内からブレード３０ｂが取り出される。
【００３０】
このとき、昇降ブレードの平板状のブレード３０ｂは、ブレード軸３０ａの軸心を通る平面内に位置して形成されるため、つまり軸に対し平坦に形成されるため、被混練物が軟膏のように粘性の高い物質であっても、容器３１内の被混練物内から容易に引き抜くことができる。また、引き抜いたブレード３０ｂに被混練物が多少付着していた場合でも、容器３１の口縁部で容易にそれを擦り取り、ブレード３０ｂの付着物を少なくした状態で、昇降ブレード３０を取り外すことができる。
【００３１】
したがって、ブレード３０ｂの付着物が少ないため、混練作業後の昇降ブレード３０の洗浄作業が容易となり、被混練物を収容した容器３１については、蓋を小孔のない蓋に付け替え、そのまま被混練物を保存する容器として使用することができるため、容器３１を洗浄する作業が不要となって、比較的少量で複数種類の被混練物を個別に混練する際、非常にその取り扱いを簡単化することができる。
【００３２】
なお、上記実施形態では、回転駆動部３にハンドル軸１１を設け、ハンドル１２を手動により回して回転駆動部３を回転駆動したが、小型の減速機付きモータをハンドルに代えて設置し、減速機付きモータにより回転駆動部３の軸を回転駆動することもできる。また、昇降駆動部４の周辺部は、カバー体によりカバーすることができる。さらに、上記では、被混練物として軟膏を混練したが、その他の化学品などを混練することもできる。
【図面の簡単な説明】
【００３３】
【図１】本発明の一実施形態を示す混練装置の部分断面付き正面図である。
【図２】同混練装置の背面図である。
【図３】同混練装置の左側面図である。
【図４】同混練装置の平面図である。
【図５】図１のV-V線断面図である。
【図６】（ａ）は昇降ブレードの正面図、（ｂ）は昇降ブレードの左側面図である。
【符号の説明】
【００３４】
１      ベース
２      容器回転部
３      回転駆動部
４      昇降駆動部
５      縦回転軸
６      容器保持部
８      大ギヤ
９      垂直回転軸
１０    箱型フレーム
１１    ハンドル軸
１２    ハンドル
１７    水平回転軸
１８    小ギヤ
１９    水平回転軸
２０    大ギヤ
２１    カム板
２２    昇降ガイド軸
２３    摺動部
２５    カムフォロワ
２６    ブレード支持アーム
２８    ブレード保持部
２８ａ  スリット
３０    昇降ブレード
３０ａ  ブレード軸
３０ｂ  ブレード
３０ｃ  開口部
３１    容器
３２    蓋
【図１】
2007275765.tif 000003
【図２】
2007275765.tif 000004
【図３】
2007275765.tif 000005
【図４】
2007275765.tif 000006
【図５】
2007275765.tif 000007
【図６】
2007275765.tif 000008